(57)【要約】      （修正有）【課題】鑑賞対象物の鑑賞性をより高めることができる額縁を提供する。【解決手段】額縁１０は、鑑賞対象物２４Ａ、２４Ｂを保持し、透光性を有する第１保持層１２、第１保持層１２へ向かって照明光を発する照明装置１６、及び第１保持層１２と照明装置１６との間に設けられ、第１保持層１２側からの光によって生じる鑑賞対象物２４Ａ、２４Ｂの影を映し、照明装置１６からの照明光を透過する第２保持層１４と、を備える。このような構成を有する額縁１０は、鑑賞対象物２４Ａ、２４Ｂに対する照明（光）の当て方を変えることによって、２通りの展示方法を可能とする。【選択図】図１
0003214212.tif 000002
【実用新案登録請求の範囲】
【請求項１】
鑑賞対象物を保持し、透光性を有する第１層と、
前記第１層へ向かって照明光を発する照明装置と、
前記第１層と前記照明装置との間に設けられ、前記第１層側からの光によって生じる前記鑑賞対象物の影を映し、前記照明装置からの照明光を透過する第２層と、
を備える額縁。
【請求項２】
前記第２層は、前記第１層側に透明板が設けられ、前記照明装置側に半透明板が設けられ、前記透明板と前記半透明板とで前記鑑賞対象物に対して背景となるシート状の背景部材及び鑑賞対象物の少なくとも一方を挟む請求項１記載の額縁。
【請求項３】
前記第１層と前記第２層との間、前記第２層と前記照明装置との間には間隔が設けられる請求項１又は請求項２記載の額縁。
【請求項４】
前記第２層は、立体的な鑑賞対象物を保持する請求項３記載の額縁。
【請求項５】
前記間隔は、調整可能とされる請求項３又は請求項４記載の額縁。
【請求項６】
前記照明装置は、面状に照明光を発する請求項１から請求項５の何れか１項記載の額縁。
【考案の詳細な説明】
【技術分野】
【０００１】
本考案は、額縁に関するものである。
【背景技術】
【０００２】
従来から、内側（裏面や背面ともいう。）から表面に照明光を透過させ、鑑賞対象物である絵画等を照らす額縁が開発されている。このような額縁は、特許文献１から特許文献５に開示されているように、その内側に照明装置が備えられる。
【０００３】
特許文献１には、背後からの透過光を利用する屋内装飾品、例えば、ステンドグラス、ステンドグラス類似品、写真等を額の背面側に備えられた照明装置からの照明光で照らす額パネルが開示されている。
【０００４】
特許文献２には、額縁の裏面の少なくとも発光部分近傍に、光の反射を防止する反射防止手段を備え、反射防止手段が額縁の発光部分に対向する裏面からの光の反射を防止するので、裏面からの乱反射による額縁あるいは台紙の縁の近傍の照明むらを防止することが開示されている。
【０００５】
特許文献３には、額部内に納められた光源と、光源の前側に設けられた化粧部とを有し、化粧部を通して光源で光を照射可能にすることで、化粧部を通した柔らかい光で絵画等を照らし、意匠性を高めることが開示されている。
【０００６】
特許文献４には、木質製枠体と、この枠体内にはめ込まれた透光性木質薄板と、この薄板の枠体とは反対側に設けた照明具を内蔵した照明枠体とからなる照明パネルによって、一見木製と見える素材が自光させる、多様な美術表現・空間表現を可能とすることが開示されている。
【０００７】
特許文献５には、光透過性を有するシート状の第１鑑賞対象物と、光透過性を有さないシート状の第２鑑賞対象物とを保持する保持部を有する鑑賞用フレームと、鑑賞用フレームの背面側に取り付けられ、第１鑑賞対象物の背面から第１鑑賞対象物を照らす照明装置と、を備えた照明装置付き鑑賞用フレームが開示されている。上記保持部には、照射された光を透過させる光透過領域が形成されており、照明装置は、底板部と底板部の周縁部に沿って形成された周壁部と光源ユニットとを備えている。これにより、特許文献５に開示されている鑑賞用フレームは、光透過領域に保持されている第１鑑賞対象物の背面に光源の光をあてることができるので、第１鑑賞対象物を見やすくすることができる。
【先行技術文献】
【特許文献】
【０００８】
【特許文献１】特開平５−３２９０４２号公報
【特許文献２】特開平１０−１７９３５１号公報
【特許文献３】特開２００９−１８１０６１号公報
【特許文献４】特開２０１２−２１５０５０号公報
【特許文献５】特開２０１７−４６９６７号公報
【考案の概要】
【考案が解決しようとする課題】
【０００９】
特許文献１から特許文献５に開示されているように、鑑賞対象物の背面から照明光を照らすことにより、鑑賞対象物の鑑賞性を高めることが従来から行われている。
【００１０】
また、近年では、例えば、切り絵のように照明光の照らし方によって、その鑑賞性が変化するものも額縁に収められ、多くの人々の鑑賞対象となっている。このため、鑑賞対象物の鑑賞性をより高めることができる額縁の開発が望まれている。
【００１１】
本考案は、このような事情に鑑みてなされたものであって、鑑賞対象物の鑑賞性をより高めることができる額縁を提供することを目的とする。
【課題を解決するための手段】
【００１２】
上記課題を解決するために、本考案の額縁は以下の手段を採用する。
【００１３】
本考案の一態様に係る額縁は、鑑賞対象物を保持し、透光性を有する第１層と、前記第１層へ向かって照明光を発する照明装置と、前記第１層と前記照明装置との間に設けられ、前記第１層側からの光によって生じる前記鑑賞対象物の影を映し、前記照明装置からの照明光を透過する第２層と、を備える。
【００１４】
上記「額縁」には、以下に例示するように、種々の技術的限定を加えてもよい。
【００１５】
前記第２層は、前記第１層側に透明板が設けられ、前記照明装置側に半透明板が設けられ、前記透明板と前記半透明板とで前記鑑賞対象物に対して背景となるシート状の背景部材及び鑑賞対象物の少なくとも一方を挟む。
【００１６】
前記第１層と前記第２層との間、前記第２層と前記照明装置との間には間隔が設けられる。
【００１７】
前記第２層は、立体的な鑑賞対象物を保持する。
【００１８】
前記間隔は、調整可能とされる。
【００１９】
前記照明装置は、面状に照明光を発する。
【考案の効果】
【００２０】
本考案によれば、鑑賞対象物の鑑賞性をより高めることができる、という効果を有する。
【図面の簡単な説明】
【００２１】
【図１】本考案の実施形態に係る額縁の縦断面図である。
【図２】本考案の実施形態に係る額縁の分解図である。
【図３】本考案の実施形態に係る額縁の背面図である。
【図４】本考案の実施形態に係る立体的な鑑賞対象物が収められた額縁の縦断面図である。
【図５】本考案の実施形態に係る立体的な鑑賞対象物が収められた額縁の分解図である。
【図６】本考案の実施形態に係る鑑賞対象物の展示例を示した額縁の正面図である。
【図７】本考案の実施形態に係る鑑賞対象物の展示例を示した額縁の正面図である。
【考案を実施するための形態】
【００２２】
以下に、本考案に係る額縁の一実施形態について、図面を参照して説明する。
【００２３】
〔１．額縁の構成〕
図１は本実施形態に係る額縁１０の縦断面図であり、図２は額縁１０の分解図であり、図３は額縁１０の背面図である。本実施形態に係る額縁１０は、一例として縦方向を長辺、横方向を短辺とした四角形であり、額縁１０の大きさ（縦及び横の長さ）は特に限定されない。さらに、額縁１０は、室内の壁に掛けられてもよいし、スタンド等によって家具等の上面に立て掛けられてもよい。
【００２４】
額縁１０は、その正面側から、第１保持層１２、第２保持層１４、照明装置１６、及び裏板１８が備えられる。さらに、額縁１０は、第１保持層１２と第２保持層１４との間にスペーサー２０Ａが設けられ、第２保持層１４と裏板１８の間にスペーサー２０Ｂが設けられる。
【００２５】
額縁１０は、額縁１０の周縁を形成する矩形状であって、第１保持層１２、第２保持層１４、及び裏板１８を保持する外枠２２を備える。より具体的には、外枠２２は、正面側が背面側よりも厚くなっており、正面側から第１保持層１２、スペーサー２０Ａ、第２保持層１４、スペーサー２０Ｂ、裏板１８がこの順番で嵌め込まれる。そして、外枠２２の背面側に設けられた留め具２２Ａを裏板１８側に回転させることで、第１保持層１２、スペーサー２０Ａ、第２保持層１４、スペーサー２０Ｂ、裏板１８が外枠２２に固定される。なお、留め具２２Ａは、一端が回動可能なように外枠２２に固定されている。
【００２６】
外枠２２に対する第１保持層１２、スペーサー２０Ａ、第２保持層１４、スペーサー２０Ｂ、裏板１８の固定方法は一例であり、これに限られない。また、外枠２２は、例えば、アルミニウム等の金属や木材等で形成される。
【００２７】
第１保持層１２は、鑑賞対象物２４を保持し、透光性を有する。第１保持層１２は、透光性を有していればよく、例えば、アクリル板又はガラス板等の透明板２６によって形成される。
【００２８】
第１保持層１２は、一例として、３枚の透明板２６Ａ，２６Ｂ，２６Ｃによって形成されており、鑑賞対象物２４を複数の透明板２６で挟むことによって鑑賞対象物２４を保持する。図１，２の例では、第１保持層１２は、２つの鑑賞対象物２４Ａ，２４Ｂを３枚の透明板２６で挟んで保持している。
【００２９】
本実施形態に係る鑑賞対象物２４Ａ，２４Ｂは、一例として、切り絵とする。なお、鑑賞対象物２４Ａ，２４Ｂは、切り絵の他にも、アクリル板にアクリル絵の具で描かれた絵画、ステンドグラス等、光を透過し易いものが好ましいが、第１保持層１２で保持可能なものであれば、油絵具や水彩絵具で描かれた絵画や写真等であってもよい。なお、鑑賞対象物２４は、一例として、接着剤が塗布されることで、透明板２６に固定された後に、２枚の透明板２６で挟まれる。
【００３０】
第２保持層１４は、第１保持層１２と照明装置１６との間に設けられ、第１保持層１２側からの光によって生じる鑑賞対象物２４の影を映し、照明装置１６からの照明光を透過する。
【００３１】
本実施形態に係る第２保持層１４は、一例として、第１保持層１２側に透明板２６Ｄが設けられ、照明装置１６側に半透明板２８が設けられる。半透明板２８は、鑑賞者によるその背面側の視認を妨げる一方で、光を透過する半透明の板である。すなわち、半透明板２８は、その背面側に位置する照明装置１６や裏板１８を鑑賞者が視認することを妨げる一方で、照明装置１６が発する照明光を透過する。なお、半透明板２８は、例えば、乳白色やスモーク状に着色されたアクリル板やガラス板等や型ガラスで形成される。また、半透明板２８は、透明板に半透明又は型ガラス風のシートが貼り付けられることで形成されてもよい。
【００３２】
また、本実施形態に係る第２保持層１４は、透明板２６Ｄと半透明板２８とで、背景シート３０を挟む。背景シート３０は、第１保持層１２で保持されている鑑賞対象物２４に対して背景となるシート状のものである。背景シート３０は、例えば、紙やセロハン等で形成され、特に限定されるものではないが、光を透過するものが好ましい。さらに、背景シート３０の色や模様も限定されるものではない。
【００３３】
照明装置１６は、裏板１８に配置され、第１保持層１２へ向かって面状に照明光を発するものであり、一例として、ＬＥＤ（Light Emitting Diode）で形成される。ここでいう面状に照明光を発するとは、第１保持層１２の全面に対して照明光を発することである。なお、照明装置１６が発する照明光の明るさは、第１保持層１２の全面に対して均等であることが好ましい。
【００３４】
また、本実施形態に係る照明装置１６は、一例として、白色の照明光を発するが、これに限らず、他の色を発してもよい。さらに、照明装置１６は、照明光の明るさを制御する機能（以下「明るさ制御機能」という。）を有してもよい。
【００３５】
また、本実施形態に係る照明装置１６は、電源ケーブル３２を介して、可搬式の充電器（以下「モバイルバッテリ」という。）３４によって電力が供給される。本実施形態に係るモバイルバッテリ３４は、裏板１８に設置され、より具体的には、図３に示されるように、額縁１０の背面に設置される。
【００３６】
裏板１８は、額縁１０の背面を形成するものであり、例えばアルミニウム等の金属や木材等で形成される。
【００３７】
さらに、本実施形態に係る額縁１０は、第１保持層１２と第２保持層１４との間、第２保持層１４と照明装置１６との間に間隔３６Ａ，３６Ｂが設けられる。間隔３６Ａは、第１保持層１２と第２保持層１４との間にスペーサー２０Ａが設置されることで形成される。間隔３６Ｂは、第２保持層１４と裏板１８との間にスペーサー２０Ｂが設置されることで形成される。
【００３８】
本実施形態に係るスペーサー２０Ａ，２０Ｂは、外枠２２の内面に沿った矩形状とされているが、これは一例であり、間隔３６Ａ，３６Ｂが保持できれば他の形状であってもよい。なお、スペーサー２０Ａ，２０Ｂは、例えばアルミニウム等の金属や木材、アクリル等で形成される。
【００３９】
また、間隔３６Ａ，３６Ｂの長さは、同じであってもよいし、異なってもよい。例えば、間隔３６Ａの長さは３ｃｍであり、間隔３６Ｂの長さは３．５ｃｍである。また、間隔３６Ａ，３６Ｂの長さは、スペーサー２０Ａ，２０Ｂの厚みを変えることで調整可能とされている。
【００４０】
〔２．立体的な額縁の構成〕
第２保持層１４は、立体的な鑑賞対象物３８の保持が可能とされる。図４は鑑賞対象物３８を保持した額縁１０の縦断面図であり、図５はその分解図である。
【００４１】
図４に示されるように、立体的な鑑賞対象物３８は、第２保持層１４の表面、より具体的には透明板２６Ｄの表面（額縁１０の正面側）に保持される。すなわち、鑑賞対象物３８は、第１保持層１２に接触せずに間隔３６Ａに収まるように第２保持層１４の表面に固定される。
【００４２】
第２保持層１４に対する鑑賞対象物３８の固定は、接着剤によって行われてもよいし、固定具を介して行われてもよく、限定されない。
【００４３】
〔３．展示例〕
図６，７は、本実施形態に係る額縁１０に鑑賞対象物２４を収めた場合の展示例を示す模式図である。図６は額縁１０の正面側から照明が当てられた場合であり、図７は額縁１０内から照明を行った場合、すなわち照明装置１６が照明光を発した場合である。図６に示される場合は、照明装置１６による照明光が額縁１０の正面側からの照明よりも暗い場合であり、図７に示される場合は、照明装置１６が発する照明光が額縁１０の正面側からの照明よりも明るい場合である。
【００４４】
本実施形態に係る額縁１０は、第２保持層１４が半透明板２８を備えているため、額縁１０の正面側からは半透明板２８の背後、すなわち照明装置１６や裏板１８を鑑賞者は視認できない。一方で、鑑賞者は鑑賞対象物２４の背景として背景シート３０を視認することになる。そして、図６に示されるように、額縁１０の正面側から照明が当てられた場合、第２保持層１４（半透明板２８）に鑑賞対象物２４の影４０が映し出される。これにより、額縁１０は、鑑賞対象物２４の展示を奥行き感のあるものにできる。
【００４５】
一方で、図７に示されるように、照明装置１６が照明光を発した場合には、この照明光が半透明板２８を透過する。そして、鑑賞対象物２４の背面から照明光が照らされると、鑑賞対象物２４がこの照明光を遮光する。従って、切り絵のように、鑑賞対象物２４が透光する領域と透光しない領域を有する場合には、透光による明と遮光による影とのコントラストが際立ち、鑑賞対象物２４が影絵のように表現されることとなる。なお、鑑賞対象物２４のコントラストを際立たせるように表現する場合は、照明装置１６からの照明光が額縁１０の正面側からの照明の光よりも明るいため、第２保持層１４には鑑賞対象物２４の影４０は映し出されない。
【００４６】
すなわち、本実施形態に係る額縁１０は、鑑賞対象物２４に対する照明（光）の当て方を変えることによって、鑑賞対象物２４の影４０を映し出して奥行き感のある展示と、鑑賞対象物２４のコントラストを際立たせるように表現する展示とのように、鑑賞対象物２４に対して２通りの展示方法を可能としている。
【００４７】
また、間隔３６Ａの長さを調整することによって、鑑賞対象物２４と第２保持層１４との距離を変化させることができる。これにより、鑑賞対象物２４の展示者は、第２保持層１４に映し出される鑑賞対象物２４の影４０の大きさを調整することができる。
【００４８】
さらに、間隔３６Ａ，３６Ｂの長さを調整すること、又は照明装置１６の明るさ制御機能によって、鑑賞対象物２４に対する額縁１０の正面側から照らす光と照明装置１６からの照明光との明るさを相対的に変化させることがきる。これにより、鑑賞対象物２４の展示者は、第２保持層１４に映し出される鑑賞対象物２４の影４０とその周辺とのコントラストや、鑑賞対象物２４のコントラストを際立たせるように表現する場合におけるそのコントラストの度合いを調整することができる。
【００４９】
また、照明装置１６は、面状に照明光を発して、鑑賞対象物２４の全体に照明光を照らすので、額縁１０は、鑑賞対象物２４の全体をムラなくコントラストを際立たせるように表現することができる。
【００５０】
以上説明したように、本実施形態に係る額縁１０は、鑑賞対象物２４を保持し、透光性を有する第１保持層１２、第１保持層１２へ向かって照明光を発する照明装置１６、及び第１保持層１２と照明装置１６との間に設けられ、第１保持層１２側からの光によって生じる鑑賞対象物２４の影４０を映し、照明装置１６からの照明光を透過する第２保持層１４と、を備える。これにより、本実施形態に係る額縁１０は、鑑賞対象物２４に対する照明（光）の当て方を変えることによって、鑑賞対象物２４に対して２通りの展示方法を可能とするので、鑑賞対象物２４の鑑賞性をより高めることができる。
【００５１】
〔４．他の実施形態〕
以上、本考案を、上記実施形態を用いて説明したが、本考案の技術的範囲は上記実施形態に記載の範囲には限定されない。考案の要旨を逸脱しない範囲で上記実施形態に多様な変更又は改良を加えることができ、該変更又は改良を加えた形態も本考案の技術的範囲に含まれる。
【００５２】
例えば、上記実施形態では、額縁１０を四角形とする形態について説明したが、本考案は、これに限定されるものではなく、額縁１０は、例えば、円形でもよいし、三角形や五角形等の四角形以外の多角形、その他の形状としてもよい。
【００５３】
また、上記実施形態では、照明装置１６はモバイルバッテリ３４から電力が供給される形態について説明したが、本考案は、これに限定されるものではなく、額縁１０は、例えば、商用電源から電力が供給されてもよい。
【００５４】
また、上記実施形態では、第１保持層１２が３枚の透明板２６Ａ，２６Ｂ，２６Ｃによって形成され、鑑賞対象物２４Ａ，２４Ｂを保持する形態について説明したが、本考案は、これに限定されるものではなく、第１保持層１２が２枚の透明板２６で形成されたり、４枚以上の透明板２６で形成されてもよい。また、第１保持層１２が１枚の透明板２６で形成され、この透明板２６の背面側に接着剤等で鑑賞対象物２４が保持されてもよい。
【００５５】
また、上記実施形態では、第２保持層１４が透明板２６と半透明板２８とで形成され、透明板２６と半透明板２８とがシート状の背景シート３０を挟む形態について説明したが、本考案は、これに限定されるものではなく、半透明板２８の色が鑑賞対象物２４の背景として適している場合には、第２保持層１４が半透明板２８のみで形成されてもよい。
【００５６】
また、上記実施形態では、照明装置１６が鑑賞対象物２４の全体に照明光を照らす形態について説明したが、本考案は、これに限定されるものではなく、照明装置１６が鑑賞対象物２４の一部に照明光を照らす形態としてもよい。この形態により、例えば、鑑賞対象物２４の半分に照明光を照らすことによって、鑑賞対象物２４の半分の影を第２保持層１４に映し出し、鑑賞対象物２４の他方の半分を影絵のように表現することができる。
【００５７】
また、上記実施形態では、第２保持層１４が背景シート３０を保持する形態について説明したが、本考案は、これに限定されるものではなく、第２保持層１４が背景シート３０の替りにシート状の鑑賞対象物を保持する形態としてもよい。また、第２保持層１４は、シート状の鑑賞対象物を保持すると共に、この鑑賞対象物の背面に背景シート３０を保持してもよい。
【００５８】
また、上記実施形態では、第２保持層１４を透明板２６Ｄと半透明板２８とで形成する形態について説明したが、本考案は、これに限定されるものではなく、第２保持層１４における半透明板２８の正面側に透明板２６Ｄを複数枚重ね、透明板２６Ｄと透明板２６Ｄとの間に鑑賞対象物を保持してもよい。これにより、第２保持層１４に鑑賞対象物を保持させる場合に、第２保持層１４に保持させる鑑賞対象物に奥行き感を持たせることができる。
【符号の説明】
【００５９】
１０    額縁
１２    第１保持層（第１層）
１４    第２保持層（第２層）
１６    照明装置
２４Ａ  鑑賞対象物
２４Ｂ  鑑賞対象物
３０    背景シート（背景部材）
３４    モバイルバッテリ（充電器）
３６Ａ  間隔
３６Ｂ  間隔
３８    立体的な鑑賞対象物
４０    影
【図１】
0003214212.tif 000003
【図２】
0003214212.tif 000004
【図３】
0003214212.tif 000005
【図４】
0003214212.tif 000006
【図５】
0003214212.tif 000007
【図６】
0003214212.tif 000008
【図７】
0003214212.tif 000009